(57)【特許請求の範囲】
【請求項１】
下管部、前記下管部の下端に設けられる下ベース板、及び前記下管部の上端に設けられる下管係止部を備える下柱と、
前記下管係止部に回動可能に係止される調整ナットと、
軸と直交する方向に一方の外周から他方の外周へ貫通する第１ピン穴、及び外周面に設けられる雄ねじ部を備え、前記調整ナットに螺合されるとともにその下部が前記下管部に挿入されるねじ管と、
前記ねじ管が前記下柱に対して回動することを防止する回り止め部と、
上管部、前記上管部の上端に設けられる上ベース板、前記上管部の軸方向に所定の距離を置いて複数設けられるとともに軸と直交する方向に一方の外周から他方の外周へ貫通する第２ピン穴を備え、その下部が前記ねじ管に挿入される上柱と、
前記第１ピン穴及び前記第２ピン穴を連続して貫通して前記ねじ管と前記上柱とを固定するサポートピンと、
前記下ベース板の側面に設けられて前記下柱を横置きにしたときに床面に当接される下底辺と、
前記上ベース板の側面に設けられて前記上柱を横置きにしたときに床面に当接される上底辺と、
前記下ベース板の上面かつ前記下底辺から前記下柱を挟んだ反対側に設けられる下掴持部と、
前記上ベース板の下面かつ前記上底辺から前記上柱を挟んだ反対側に設けられる上掴持部と、
を備えることを特徴とする仮設工事用サポート。
【請求項２】
前記下掴持部が、
外側に開いた状態で前記下ベース板の縁より外側にはみ出る下取っ手部と、
前記下取っ手部を外側に開いた状態から前記下管部又は前記上面に接触する状態まで内側方向に回動可能に軸支する下取っ手取付部と、を備え、
前記上掴持部が、
外側に開いた状態で前記上ベース板の縁より外側にはみ出る上取っ手部と、
前記上取っ手部を外側に開いた状態から前記上管部又は前記下面に接触する状態まで内側方向に回動可能に軸支する上取っ手取付部と、を備える請求項１に記載の仮設工事用サポート。
【請求項３】
前記下掴持部が、
外側に開いた状態で前記下ベース板の縁より外側にはみ出る下取っ手部と、
前記下取っ手部を外側に開いた状態から少なくとも前記下管部の軸に沿った方向から内側に傾斜する状態まで回動可能に軸支する下取っ手取付部と、を備え、
前記上掴持部が、
外側に開いた状態で前記上ベース板の縁より外側にはみ出る上取っ手部と、
前記上取っ手部を外側に開いた状態から少なくとも前記上管部の軸に沿った方向まで回動可能に軸支する上取っ手取付部と、を備える請求項１に記載の仮設工事用サポート。
【請求項４】
前記第１ピン穴、前記第２ピン穴、及び前記サポートピンを２組備えるとともに、２本の前記サポートピンが互いに交差して差込まれ、かつ前記下柱及び前記上柱を横置きしたときに前記サポートピンが上から下方向に差込まれるように前記第１ピン穴及び前記第２ピン穴が配置されている請求項１ないし３のいずれか１項に記載の仮設工事用サポート。
【請求項５】
前記サポートピンのピン側面に、通常時は前記ピン側面から突出して前記第１ピン穴及び前記第２ピン穴からの抜けを防止して、抜き差し時には外力によって前記ピン側面と同じ位置まで引っ込んで前記第１ピン穴及び前記第２ピン穴への抜き差しが可能となる抜け防止突起部を備える請求項１ないし４のいずれか１項に記載の仮設工事用サポート。
【請求項６】
前記サポートピン及び前記抜け防止突起部がボールロックピンである請求項５に記載の仮設工事用サポート。
【請求項７】
請求項１ないし６のいずれか１項に記載の仮設工事用サポートを用いる仮設工事用サポートの使用方法であって、
横置きにされた前記仮設工事用サポートの前記サポートピンを一旦抜いて前記上柱の引き出し長さを決めた後に、前記第１ピン穴と前記第２ピン穴とを合わせて前記サポートピンを貫通させる長さ決め工程と、
前記仮設工事用サポートを前記下掴持部及び前記上掴持部を持って設置場所まで運搬する運搬工程と、
設置場所まで運搬した前記仮設工事用サポートを立設させる立設工程と、
立設させた前記仮設工事用サポートの前記調整ナットを回転させて前記ねじ管及び前記上柱を上昇させ、前記上ベース板を被支持材に当接させる扛重工程と、
を含むことを特徴とする仮設工事用サポートの使用方法。
【請求項８】
請求項２又は３に記載の仮設工事用サポートを用いる仮設工事用サポートの使用方法であって、
横置きにされた前記仮設工事用サポートの前記サポートピンを一旦抜いて前記上柱の引き出し長さを決めた後に、前記第１ピン穴と前記第２ピン穴とを合わせて前記サポートピンを貫通させる長さ決め工程と、
前記仮設工事用サポートを前記下取っ手部及び前記上取っ手部を持って設置場所まで運搬する運搬工程と、
設置場所まで運搬した前記仮設工事用サポートを立設させる立設工程と、
立設させた前記仮設工事用サポートの前記調整ナットを回転させて前記ねじ管及び前記上柱を上昇させ、前記上ベース板を被支持材に当接させる扛重工程と、
前記下取っ手部を内側方向に回動させて前記下ベース板の縁より内側に配置させるとともに、前記上取っ手部は自重により垂下させる仕舞い工程と、
を含むことを特徴とする仮設工事用サポートの使用方法。
【請求項９】
請求項４に記載の仮設工事用サポートを用いる仮設工事用サポートの使用方法であって、
横置きにされた前記仮設工事用サポートの前記サポートピンを一旦抜いて前記上柱の引き出し長さを決めた後に、前記第１ピン穴と前記第２ピン穴とを合わせて前記サポートピンを上から下方向に貫通させる長さ決め工程と、
前記仮設工事用サポートを前記下掴持部及び前記上掴持部を持って、前記サポートピンが上から下方向に貫通した状態で設置場所まで運搬する運搬工程と、
設置場所まで運搬した前記仮設工事用サポートを、前記サポートピンが上から下方向に貫通した状態で立設させる立設工程と、
立設させた前記仮設工事用サポートの前記調整ナットを回転させて前記ねじ管及び前記上柱を上昇させ、前記上ベース板を被支持材に当接させる扛重工程と、
を含むことを特徴とする仮設工事用サポートの使用方法。
【発明の詳細な説明】
【技術分野】
【０００１】
本発明は、建物の建築や解体のとき等に、天井や仮設の梁等の被支持材を支持するための仮設工事用サポート及び仮設工事用サポートの使用方法に関する。
【背景技術】
【０００２】
従来、下柱、ねじ管、調整ナット、及び上柱を備える、強力サポートやパイプサポートとも呼ばれる仮設工事用サポートの設置工事において、重量物である仮設工事用サポートを２人で運搬するのに、下柱の下端の下抜き穴（図５符号ｆ参照。）及び上柱の上端にある上抜き穴を持って運搬することが多かった。しかし、このような持ち方は力が入りにくいばかりでなく、運搬時に上柱がねじ管と下柱に挿入された状態で伸び縮みすることで、下柱の下端を持つ人の指に上柱の下端が衝突し、指を詰める事故の原因となっていた。
【０００３】
このような仮設工事用サポートとして、例えば、特開２００１−４９８７６号公報に、ナットに取っ手を設けたサポート装置が開示されている。
【先行技術文献】
【特許文献】
【０００４】
【特許文献１】特開２００１−４９８７６号公報
【発明の概要】
【発明が解決しようとする課題】
【０００５】
しかし、特許文献１に開示されているサポート装置の取っ手は、ナットを回転させるためのものであり、運搬時に使用できるものではない。
本発明は、上記の点に鑑みなされたもので、運搬時に作業者が下掴持部及び上掴持部を掴んで安全に運搬することができる仮設工事用サポート及び仮設工事用サポートの使用方法を提供することを目的とする。
【課題を解決するための手段】
【０００６】
本発明の仮設工事用サポートは、
下管部、前記下管部の下端に設けられる下ベース板、及び前記下管部の上端に設けられる下管係止部を備える下柱と、
前記下管係止部に回動可能に係止される調整ナットと、
軸と直交する方向に一方の外周から他方の外周へ貫通する第１ピン穴、及び外周面に設けられる雄ねじ部を備え、前記調整ナットに螺合されるとともにその下部が前記下管部に挿入されるねじ管と、
前記ねじ管が前記下柱に対して回動することを防止する回り止め部と、
上管部、前記上管部の上端に設けられる上ベース板、前記上管部の軸方向に所定の距離を置いて複数設けられるとともに軸と直交する方向に一方の外周から他方の外周へ貫通する第２ピン穴を備え、その下部が前記ねじ管に挿入される上柱と、
前記第１ピン穴及び前記第２ピン穴を連続して貫通して前記ねじ管と前記上柱とを固定するサポートピンと、
前記下ベース板の側面に設けられて前記下柱を横置きにしたときに床面に当接される下底辺と、
前記上ベース板の側面に設けられて前記上柱を横置きにしたときに床面に当接される上底辺と、
前記下ベース板の上面かつ前記下底辺から前記下柱を挟んだ反対側に設けられる下掴持部と、
前記上ベース板の下面かつ前記上底辺から前記上柱を挟んだ反対側に設けられる上掴持部と、
を備えることを特徴とする。
【０００７】
本発明の仮設工事用サポートによれば、下ベース板の上面に設けられる下掴持部と、上ベース板の下面に設けられる上掴持部とを備えるため、仮設工事用サポートの運搬時にこれらの下掴持部及び上掴持部を持って運搬することができる。これにより、安定して運搬することができるとともに、指を詰めることがなく、作業時の安全性を高めることができる。また、下掴持部が下ベース板の上面に、上掴持部が上ベース板の下面に設けられているため、仮設工事用サポートの使用時に、床面と下掴持部、及び被支持材と上掴持部が干渉することがない。なお、ここで用いる「床面」には、地面や支保工の一部等を含めて、仮設工事用サポートが設置又は載置される場所の全てが含まれることを意図する。
【０００８】
本発明の仮設工事用サポートの好ましい例は、
前記下掴持部が、
外側に開いた状態で前記下ベース板の縁より外側にはみ出る下取っ手部と、
前記下取っ手部を外側に開いた状態から前記下管部又は前記上面に接触する状態まで内側方向に回動可能に軸支する下取っ手取付部と、を備え、
前記上掴持部が、
外側に開いた状態で前記上ベース板の縁より外側にはみ出る上取っ手部と、
前記上取っ手部を外側に開いた状態から前記上管部又は前記下面に接触する状態まで内側方向に回動可能に軸支する上取っ手取付部と、を備える。
【０００９】
本発明の仮設工事用サポートの好ましい例は、
前記下掴持部が、
外側に開いた状態で前記下ベース板の縁より外側にはみ出る下取っ手部と、
前記下取っ手部を外側に開いた状態から少なくとも前記下管部の軸に沿った方向から内側に傾斜する状態まで回動可能に軸支する下取っ手取付部と、を備え、
前記上掴持部が、
外側に開いた状態で前記上ベース板の縁より外側にはみ出る上取っ手部と、
前記上取っ手部を外側に開いた状態から少なくとも前記上管部の軸に沿った方向まで回動可能に軸支する上取っ手取付部と、を備える。
【００１０】
これらの本発明の仮設工事用サポートの好ましい例によれば、下掴持部が回動可能な下取っ手部を備える。このため、運搬時には下取っ手部を外側に回動させることで、下ベース板の縁よりはみ出させて容易に掴むことができる。また、仮設工事用サポートの設置後は、下取っ手部を内側に回動させることで周囲の邪魔になることがない。上掴持部においても運搬時は同様の作用効果を奏し、設置後は自重で自然に垂下させることでやはり同様の作用効果を奏することができる。
【００１１】
本発明の仮設工事用サポートの好ましい例は、
前記第１ピン穴、前記第２ピン穴、及び前記サポートピンを２組備えるとともに、２本の前記サポートピンが互いに交差して差込まれ、かつ前記下柱及び前記上柱を横置きしたときに前記サポートピンが上から下方向に差込まれるように前記第１ピン穴及び前記第２ピン穴が配置されている。
【００１２】
本発明の仮設工事用サポートの好ましい例によれば、サポートピンが互いに交差した状態で２本備えられており、上から下方向に差し込めるように構成される。このため、仮設工事用サポートを横置きにしたとき、運搬するとき、及び立設させるときに、サポートピンを２本とも上から下方向に差込んである状態にすることができる。これにより、サポートピンの第１ピン穴及び第２ピン穴からの抜けを防止することができる。なお、サポートピンが上から下方向に差込まれるとは、必ずしも垂直方向に限られず、斜め方向に差し込まれている状態も含む。
【００１３】
本発明の仮設工事用サポートの好ましい例は、
前記サポートピンのピン側面に、通常時は前記ピン側面から突出して前記第１ピン穴及び前記第２ピン穴からの抜けを防止して、抜き差し時には外力によって前記ピン側面と同じ位置まで引っ込んで前記第１ピン穴及び前記第２ピン穴への抜き差しが可能となる抜け防止突起部を備える。
【００１４】
本発明の仮設工事用サポートによれば、サポートピンの側面に抜け防止突起部を備えるため、運搬時におけるサポートピンの脱落をより効果的に防止することができる。また、抜け防止突起部は外力によってサポートピンの側面まで引っ込むため、作業者がサポートピンを抜き差しするときには自由に抜き差しすることができる。
【００１５】
本発明の仮設工事用サポートの好ましい例は、
前記サポートピン及び前記抜け防止突起部がボールロックピンである。
【００１６】
本発明の仮設工事用サポートの好ましい例によれば、サポートピン及び抜け防止突起部がボールロックピンであるため、サポートピンの抜き差しをより容易に行なうことができる。
【００１７】
本発明の仮設工事用サポートの使用方法は、
上記の仮設工事用サポートを用いる仮設工事用サポートの使用方法であって、
横置きにされた前記仮設工事用サポートの前記サポートピンを一旦抜いて前記上柱の引き出し長さを決めた後に、前記第１ピン穴と前記第２ピン穴とを合わせて前記サポートピンを貫通させる長さ決め工程と、
前記仮設工事用サポートを前記下掴持部及び前記上掴持部を持って設置場所まで運搬する運搬工程と、
設置場所まで運搬した前記仮設工事用サポートを立設させる立設工程と、
立設させた前記仮設工事用サポートの前記調整ナットを回転させて前記ねじ管及び前記上柱を上昇させ、前記上ベース板を被支持材に当接させる扛重工程と、
を含むことを特徴とする。
【００１８】
本発明の仮設工事用サポートの使用方法は、
上記の仮設工事用サポートを用いる仮設工事用サポートの使用方法であって、
横置きにされた前記仮設工事用サポートの前記サポートピンを一旦抜いて前記上柱の引き出し長さを決めた後に、前記第１ピン穴と前記第２ピン穴とを合わせて前記サポートピンを貫通させる長さ決め工程と、
前記仮設工事用サポートを前記下取っ手部及び前記上取っ手部を持って設置場所まで運搬する運搬工程と、
設置場所まで運搬した前記仮設工事用サポートを立設させる立設工程と、
立設させた前記仮設工事用サポートの前記調整ナットを回転させて前記ねじ管及び前記上柱を上昇させ、前記上ベース板を被支持材に当接させる扛重工程と、
前記下取っ手部を内側方向に回動させて前記下ベース板の縁より内側に配置させるとともに、前記上取っ手部は自重により垂下させる仕舞い工程と、
を含むことを特徴とする。
【００１９】
本発明の仮設工事用サポートの使用方法は、
上記の仮設工事用サポートを用いる仮設工事用サポートの使用方法であって、
横置きにされた前記仮設工事用サポートの前記サポートピンを一旦抜いて前記上柱の引き出し長さを決めた後に、前記第１ピン穴と前記第２ピン穴とを合わせて前記サポートピンを上から下方向に貫通させる長さ決め工程と、
前記仮設工事用サポートを前記下掴持部及び前記上掴持部を持って、前記サポートピンが上から下方向に貫通した状態で設置場所まで運搬する運搬工程と、
設置場所まで運搬した前記仮設工事用サポートを、前記サポートピンが上から下方向に貫通した状態で立設させる立設工程と、
立設させた前記仮設工事用サポートの前記調整ナットを回転させて前記ねじ管及び前記上柱を上昇させ、前記上ベース板を被支持材に当接させる扛重工程と、
を含むことを特徴とする。
【００２０】
これらの本発明の仮設工事用サポートの使用方法によれば、上述の仮設工事用サポートと同様の作用効果を奏することができる。なお、長さ決め工程と運搬工程は、その順序が前後しても構わない。
【発明の効果】
【００２１】
上述したように本発明の仮設工事用サポート及び仮設工事用サポートの使用方法によれば、運搬時に作業者が下掴持部及び上掴持部を掴んで安全に運搬することができる。
【図面の簡単な説明】
【００２２】
【図１】本発明の一実施形態に係る仮設工事用サポートの正面図及び側面図である。
【図２】図１（Ａ）に示す仮設工事用サポートの分解組立図である。
【図３】図１（Ｂ）に示す仮設工事用サポートの分解組立図である。
【図４】サポートピンの拡大正面図と拡大側面図である。
【図５】下柱を横置きにしたときの下ベース板の拡大側面図である。
【図６】下柱を横置きにしたときの下ベース板の拡大正面図である。
【図７】図５のＡ−Ａ線断面図である。
【図８】下ベース板の他の実施形態を説明する図である。
【図９】上柱を横置きにしたときの上ベース板の拡大側面図である。
【図１０】上柱を横置きにしたときの上ベース板の拡大正面図である。
【図１１】図９のＡ−Ａ線断面図である。
【図１２】図１（Ａ）のＡ−Ａ線断面図拡大図で調整ナットを省略し下掴持部を上側にした図である。
【図１３】図１２と同様の断面拡大図においてサポートピンが２本とも上から下方向に差込まれるようにした実施形態の図である。
【発明を実施するための形態】
【００２３】
以下、本発明に係る仮設工事用サポート１及び仮設工事用サポートの使用方法の実施形態について、添付図面を参照して詳細に説明する。なお、本発明の仮設工事用サポートの使用方法は、本発明の仮設工事用サポート１を用いて実施される。
【００２４】
先ずは、仮設工事用サポート１の実施形態を説明する。本実施形態の仮設工事用サポート１は、図１ないし図３に示すように、下柱１０と、調整ナット２０と、ねじ管３０と、回り止め部４０と、上柱５０と、サポートピン６０ａ，６０ｂと、滑り止め部１６と、下掴持部７０と、上掴持部８０と、を備える。
【００２５】
下柱１０は、仮設工事用サポート１の下側を構成する筒状のものであり、下管部１１、下管係止部１２、及び下ベース板１３を備える。下管部１１は、円筒形の部材からなり、その中は中空となっている。下管係止部１２は、下管部１１の上端に設けられるもので、下管部１１の径より大きな鍔状ないしフランジ状をなしている。なお、下管係止部１２が設けられる位置は、調整ナット２０が係止できる位置であればよく、ここでの上端とは上端近傍を含めることを意図する。
【００２６】
下ベース板１３は、下管部１１の下端に設けられるもので、図５ないし図７にも示すように、平面視で矩形をなすとともに、その広い面の中央に下抜き穴１４を備える。また、下ベース板１３の側面には、下柱１０を横置きにしたときに床面に当接される下底辺１５を備える。本実施形態の下ベース板１３では、平面視で矩形をなすため、下ベース板１３のどの辺であっても下底辺１５になり得るが、ここでは図７における下側の辺を下底辺１５とする。
【００２７】
なお、下ベース板の形状は上記のものに限られず、図８に示すような、平面視矩形の角を円弧で欠いた、実質的に平面視矩形の下ベース板１１３も採用することができる。この場合、下底辺１１４及び滑り止め部１１６も、下ベース板１１３に合った位置形状になる。さらには、図示しないが下ベース板の角を面取りしたもの、平面視で矩形以外の多角形や円形等様々な形状を採用することができる（上ベース板５２においても同様）。
【００２８】
図１ないし図３に戻り、調整ナット２０は、下柱１０の上端に設けられる下管係止部１２に、回動可能に係止されるものであり、雌ねじ管２１、ナット係止部２３、及びハンドル２５を備える。雌ねじ管２１は、その内周面に雌ねじ部２２（図２参照）が設けられている円筒形の部材である。ナット係止部２３は、雌ねじ管２１の外周に設けられ、正面視及び背面視で横向きの凹部２４を備えるものである。そして、前記凹部２４が上記の下管係止部１２に係止されることで、調整ナット２０が回動可能とされる。ハンドル２５は、ナット係止部２３によって上下方向に回動可能に軸支されるものである（図１（Ａ）矢印ａ参照。）。そして、このハンドル２５を水平方向に持ち上げて回すことで調整ナット２０が回動される。
【００２９】
ねじ管３０は、その外周面に雄ねじ部３１を備える円筒形の部材であり、鍔部３２、鍔上部３４、及び第１ピン穴３３ａ，３３ｂを備える。雄ねじ部３１はねじ管３０の外周面に設けられるもので、この雄ねじ部３１が調整ナット２０の雌ねじ部２２に螺合され、さらにねじ管３０の下部が下柱１０の下管部１１に挿入される。そして、調整ナット２０が回動されることで、ねじ管３０が上下方向に移動する。また、ねじ管３０の上部には、鍔部３２が設けられる。この鍔部３２によって、調整ナット２０がそれ以上ねじ管３０の上部に行かないようになっている。またさらに、鍔部３２の上側にある鍔上部３４には、ねじ管３０の軸と直交する方向に一方の外周から他方の外周へ貫通する第１ピン穴３３ａ，３３ｂが設けられる。この第１ピン穴３３ａ，３３ｂは２組備えられており、それぞれ直交する方向かつ上下にずらして配置される。このため、上側の第１ピン穴３３ａは鍔上部３４の上端に設けられ、側面視で半円形状をなしている。
【００３０】
回り止め部４０は、ねじ管３０が下柱１０に対して回動することを防止するものである。本実施形態では、この回り止め部４０として、下管部１１に設けられてその外周を貫通するボルト用穴４１、前記ボルト用穴４１と同軸かつ下管部１１の外周に溶接等の方法で接合された固定用ナット４２、前記固定用ナット４２に螺合される固定用ボルト４３、及びねじ管３０の外周に軸方向に添って設けられる長穴４４を備える。ここで、ねじ管３０の下部を下柱１０に挿入して、ボルト用穴４１と長穴４４とを合わせた状態で、固定用ボルト４３を固定用ナット４２に螺合させると、固定用ボルト４３の軸部分がねじ管３０の長穴４４に差込まれる。これにより、ねじ管３０は上下方向には移動可能になるが、下管に対して回動することがなくなる。なお、回り止め部として図示はしないが上記の他に、下管部１１の内周面から突出したキーを設け、前記キーに対応するキー溝をねじ管３０に設ける等、公知の構成を採用することができる。
【００３１】
上柱５０は、仮設工事用サポート１の上側を構成する筒状のものであり、上管部５１、上ベース板５２、及び第２ピン穴５５ａ，５５ｂを備える。上管部５１は、略円筒形の部材からなってその中は中空となっており、上管部５１の下部がねじ管３０及び下管部１１に挿入される。なお、上管部５１は、その長さや仮設工事用サポート１を使用するときの引き出し長さによっては、殆どの部分がねじ管３０及び下管部１１に挿入されることがある。
【００３２】
上ベース板５２は、上管部５１の上端に設けられるもので、図９ないし図１１にも示すように、実質的に平面視で矩形をなすとともに、その広い面の中央に上抜き穴５３を備える。また、上ベース板５２の側面には、上柱５０を横置きにしたときに床面に当接する上底辺５４を備える。本実施形態の上ベース板５２では、平面視で矩形をなすため、上ベース板５２のどの辺であっても下底辺１５になり得るが、ここでは図１１における下側の辺を下底辺１５とする。
【００３３】
第２ピン穴５５ａ，５５ｂは、上管部５１の軸方向に所定の距離を置いて複数設けられるとともに、上管部５１の軸と直交する方向に一方の外周から他方の外周へ貫通する穴である。この第２ピン穴５５ａ，５５ｂは２組備えられており、それぞれ直交する方向かつ上下にずらして配置される。また、第２ピン穴５５ａ，５５ｂは、ねじ管３０に設けられる第１ピン穴３３ａ，３３ｂに対応するように設けられ、下柱１０を所定の長さほどねじ管３０及び下柱１０から引き出したとき、第２ピン穴５５ａ，５５ｂと第１ピン穴３３ａ，３３ｂとが重なるように構成される。
【００３４】
サポートピン６０ａ，６０ｂは、ねじ管３０に設けられた第１ピン穴３３ａ，３３ｂと、上管部５１に設けられた第２ピン穴５５ａ，５５ｂとを重ねた状態で連続して貫通して、ねじ管３０と上柱５０とを固定するものである。このサポートピン６０ａ，６０ｂは、図４（Ａ）（Ｂ）にも示すように、先端側のピン側面に一対の抜け防止突起部６１を備える。この抜け防止突起部６１は、ピン側面から突出した部分が半円球をなしている。そして、サポートピン６０ａ，６０ｂを第１ピン穴３３ａ，３３ｂ及び第２ピン穴５５ａ，５５ｂに差込んでいる通常時は、サポートピン６０ａ，６０ｂ内部の図示しないバネ等により、ピン側面から抜け防止突起部６１が突出して第１ピン穴３３ａ，３３ｂ及び第２ピン穴５５ａ，５５ｂからの抜けを防止する。
【００３５】
一方、サポートピン６０ａ，６０ｂの抜き差し時には、外力によってピン側面と同じ位置まで抜け防止突起部６１が引っ込んで、サポートピン６０ａ，６０ｂの第１ピン穴３３ａ，３３ｂ及び第２ピン穴５５ａ，５５ｂからの抜き差しを可能とする。この外力には、抜け防止突起部６１が第１ピン穴３３ａ，３３ｂ及び第２ピン穴５５ａ，５５ｂの内周面に当接することによって押込まれることも含める。本実施形態では、このサポートピン６０ａ，６０ｂ及び抜け防止突起部６１に、ボールロックピンと呼ばれるピンを採用している。また、サポートピン６０ａ，６０ｂの根元側には、三角環又は丸環等の環状部材６３を留めるためのサポートピン穴６２が設けられる。この環状部材６３は、サポートピン６０ａ，６０ｂをこの位置より深く第１ピン穴３３ａ，３３ｂ及び第２ピン穴５５ａ，５５ｂに差し込めないようにするストッパーとしての役割も有する。
【００３６】
また、図１２にも示すように、サポートピン６０ａ，６０ｂは２組備えられており、２本のサポートピン６０ａ，６０ｂが交差して差込まれるように第１ピン穴３３ａ，３３ｂ及び第２ピン穴５５ａ，５５ｂが配置される。この実施形態では、下ベース板１３の下底辺１５及び上ベース板５２の上底辺５４を床面に当接させて、仮設工事用サポート１を横置きにしたときに、一方のサポートピン６０ｂは垂直方向（図中矢印ａ参照。）に差込まれ、他方のサポートピン６０ａは水平方向に差込まれる。
【００３７】
さらに、図１３に示す実施形態では、２本のサポートピン６０ａ，６０ｂが下ベース板１３及び上ベース板５２の対角線方向に差込まれるように、第１ピン穴３３ａ，３３ｂ及び第２ピン穴５５ａ，５５ｂが配置される。このように、サポートピン６０ａ，６０ｂを仮設工事用サポート１の軸と直交する方向にしつつ、下底辺１５及び上底辺５４から見た垂直方向（図中矢印ａ参照。）から傾斜させることで、２本のサポートピン６０ａ，６０ｂの両方を上から下方向に差込むことができるようになる。
【００３８】
滑り止め部１６は、図７にも示すように、下ベース板１３の下底辺１５から、下ベース板１３の広い面に添った方向に突出する１以上の突起である。この滑り止め部１６は、仮設工事用サポート１を横置きにしたときに床面に当接される。そして、その状態で上柱５０の側を持ち上げると、滑り止め部１６が床面に食い込んだ状態で仮設工事用サポート１を立設させることができる。なお、本実施形態の滑り止め部１６は、平面視で三角形をなしているが、その形状は円弧状、矩形、台形等様々なものを採用することができる。また、滑り止め部１６の数も本実施形態の２つに限られず、１つ以上であれば特に限定されない。
【００３９】
下掴持部７０は、図５ないし図７にも示すように、下ベース板１３の広い面のうち下管部１１が設けられている側である上面１７の、下底辺１５から下柱１０を挟んだ反対側に設けられるものである。この下掴持部７０は、下取っ手部７１及び下取っ手取付部７２を備える。下取っ手部７１は、平面視で略Ｃ形をなす棒状部材であり、外側に開かれた状態で下ベース板１３の縁より外側にはみ出るように構成される。作業者が下掴持部７０を持つときは、この下取っ手部７１を握って持てば良い。
【００４０】
下取っ手取付部７２は、下取っ手部７１を外側に開いた状態から、下管部１１に接触する状態まで回動可能に軸支するものである（図５の下取っ手部７１の破線参照。）。この下取っ手取付部７２の位置であるが、下取っ手部７１を外側に開いて作業者が掴んだ状態で、下ベース板１３の縁１８との間に作業者の指が入る空間があり、かつ下柱１０を立設させた状態で下取っ手部７１を下柱１０側に接触させたとき、下取っ手部７１が下管部１１に立てかけられる状態になる位置にすることが好ましい。本実施形態では、下取っ手取付部７２として、２つの軸受部材を下ベース板１３の縁近傍に溶接等の方法で接合して用いている。なお、下ベース板１３の縁１８と下管部１１との距離が離れていて、下取っ手部７１を内側に閉じたときに下管部１１に接触しない場合、下取っ手部７１が下ベース板１１の上面１７に接触するまで回動可能に構成されることが好ましい。
【００４１】
また、下取っ手部７１が回動可能とされるべき最低限の範囲は、仮設工事用サポート１の運搬時に作業者が下取っ手部７１を掴むことができ、かつ仮設工事用サポート１の立設時に下取っ手部７１を下ベース板１３の縁１８より内側に配置させることができる範囲である。すなわち、下取っ手部７１を外側に開いた状態から、下管部１１の軸に沿った方向から内側方向に傾斜する位置まで回動可能であればよい。
【００４２】
上掴持部８０は、図９ないし図１１にも示すように、上ベース板５２の広い面のうち上管部５１が設けられている側の下面５６の、上底辺５４から上柱５０を挟んだ反対側に設けられるものである。この上掴持部８０は、上取っ手部８１及び上取っ手取付部８２を備える。上取っ手部８１は、平面視で略Ｃ形をなす棒状部材であり、外側に開かれた状態で上ベース板５２の縁より外側にはみ出るように構成される。作業者が上掴持部８０を持つときは、この上取っ手部８１を握って持てば良い。
【００４３】
上取っ手取付部８２は、上取っ手部８１を外側に開いた状態から、上管部５１に接触する状態まで回動可能に軸支するものである（図９の上取っ手部８１の破線参照。）。この上取っ手取付部８２の位置であるが、上取っ手部８１を外側に開いて作業者が掴んだ状態で、上ベース板５２の縁５７との間に作業者の指が入る空間があり、かつ上柱５０を横置きにした状態で上取っ手部８１を上柱５０側に接触させたとき、上取っ手部８１が上管部５１に接触しつつ水平方向より下向きの状態になる位置にすることが好ましい。本実施形態では、上取っ手取付部８２として、２つの軸受部材を上ベース板５２の縁近傍に溶接等の方法で接合して用いている。なお、上ベース板５２の縁５７と上管部５１との距離が離れていて、上取っ手部８１を内側に閉じたときに上管部５１に接触しない場合、上取っ手部８１が上ベース板５２の下面５６に接触するまで回動可能に構成されることが好ましい。
【００４４】
また、上取っ手部８１が回動可能とされるべき最低限の範囲は、仮設工事用サポート１の運搬時に作業者が上取っ手部８１を掴むことができ、かつ仮設工事用サポート１の立設時に上取っ手部８１を垂下させることができる範囲である。すなわち、上取っ手部８１を外側に開いた状態から、上管部５１の軸に沿った方向まで回動可能であればよい。
【００４５】
次に、上述した仮設工事用サポート１の各構成要素を踏まえて、仮設工事用サポートの使用方法の実施形態を説明する。
【００４６】
［第１実施形態］
本実施形態の仮設工事用サポートの使用方法は、長さ決め工程と、運搬工程と、立設工程と、扛重工程とを含む。
前提として仮設工事用サポート１は、設置場所近くの仮置き場等に横置きにされている。この横置きにされた状態では、下底辺１５及び上底辺５４が床面に当接されている又は下向きにされている。また、サポートピン６０ａ，６０ｂは第１ピン穴３３ａ，３３ｂ及び第２ピン穴５５ａ，５５ｂに差込まれて、上柱５０はねじ管３０に対して固定してある状態である。また、長さ決め工程と運搬工程は、その順序が作業現場の環境による等の理由で逆になることもある。
【００４７】
先ず、長さ決め工程として、横置きにされた仮設工事用サポート１のサポートピン６０ａ，６０ｂを一旦抜いて、上柱５０の引き出し長さを決める。そして、第１ピン穴３３ａ，３３ｂと第２ピン穴５５ａ，５５ｂとを合わせてサポートピン６０ａ，６０ｂを貫通させる。このとき、サポートピン６０ａ，６０ｂの配置が図１２に示すものである場合、一方のサポートピン６０ｂを上から下方向に垂直に差し込み、他方のサポートピン６０ａを水平方向に差し込む。また、サポートピン６０ａ，６０ｂの配置が図１３に示すものである場合、サポートピン６０ａ，６０ｂは２本ともに、上から下方向に斜めに差し込む。
【００４８】
次に、運搬工程として、仮設工事用サポート１を設置場所まで運搬する。このとき、サポートピン６０ａ，６０ｂの配置が図１２に示すものである場合、少なくとも一方のサポートピン６０ｂを上から下方向に差し込んだ状態で運搬する。また、サポートピン６０ａ，６０ｂの配置が図１３に示すものである場合、下底辺１５及び上底辺５４を下にして、サポートピン６０ａ，６０ｂが２本とも上から下方向に差し込まれて、ねじ管３０及び上管部５１を貫通している状態で運搬する。なお、運搬工程の終わりでは、仮設工事用サポート１を横置きにして下底辺１５及び上底辺５４を床面に当接させても良いし、下底辺１５のみを当接させてそのまま立設工程に移っても良い。
【００４９】
次に、立設工程として、設置場所まで運搬された仮設工事用サポート１を、下ベース板１３の下底辺１５を床面に当接させながら立設させる。本実施形態で用いる仮設工事用サポート１は、下底辺１５に滑り止め部１６が設けられているため、滑り止め部１６を床面に当接させながら立設させることになる。このときも、サポートピン６０ａ，６０ｂの配置が図１２に示すものである場合、少なくとも一方のサポートピン６０ｂを上から下方向に差し込んだ状態で立設させる。また、サポートピン６０ａ，６０ｂの配置が図１３に示すものである場合、サポートピン６０ａ，６０ｂが２本とも上から下方向に差し込まれて、ねじ管３０と上管部５１を貫通した状態で仮設工事用サポート１を立設させる。なお、仮設工事用サポート１を立設するに従いサポートピン６０ａ，６０ｂは水平に近づき、完全に立設してしまえば、サポートピン６０ａ，６０ｂは水平方向にねじ管３０と上管部５１を貫通した状態になる。
【００５０】
次に、扛重工程として、立設させた仮設工事用サポート１の調整ナット２０を回転させてねじ管３０及び上柱５０を上昇させる。このとき、ハンドル２５を水平方向に持ち上げて（図１（Ａ）矢印参照。）、このハンドル２５を持って調整ナット２０を回す。そして、上ベース板５２を天井や梁等の被支持材に当接させて支持する。
【００５１】
［第２実施形態］
次に、第２実施形態を説明する。本実施形態の仮設工事用サポートの使用方法は、長さ決め工程と、運搬工程と、立設工程と、扛重工程と、仕舞い工程とを含む。
前提として仮設工事用サポート１は、仮置き場等に横置きにされている。この横置きにされたときは、下底辺１５及び上底辺５４が床面に当接される又は下向きにされており、上側に下掴持部７０及び上掴持部８０がある。また、サポートピン６０ａ，６０ｂは第１ピン穴３３ａ，３３ｂ及び第２ピン穴５５ａ，５５ｂに差込まれて、上柱５０はねじ管３０に対して固定されている状態である。また、長さ決め工程と運搬工程は、その順序が作業現場の環境による等の理由で逆になることもある。さらに、仕舞い工程は必須ではなく、場合によっては省略することもある。
【００５２】
長さ決め工程は、上述の第１実施形態と同じであるため、説明を省略する。
【００５３】
運搬工程では、仮設工事用サポート１を、下掴持部７０及び上掴持部８０を持って設置場所まで運搬する。このとき、下掴持部７０及び上掴持部８０が、下取っ手部７１及び上取っ手部８１を備える構成のときは、下取っ手部７１及び上取っ手部８１を外側に回動させた状態（図５及び図９の実線で示した状態。）で、作業者が掴んで運搬する。また、図１２及び図１３に示す、サポートピン６０ａ，６０ｂの垂直方向、水平方向、及び上から下方向に斜めに差し込む等の配置は、第１実施形態と同じである。なお、運搬工程の終わりで、仮設工事用サポート１を横置きにして下底辺１５及び上底辺５４を床面に当接させても良いし、下底辺１５のみを当接させてそのまま立設工程に移っても良い。
【００５４】
立設工程及び扛重工程は、上述した第１実施形態と同じであるため、説明を省略する。なお、立設工程では、上掴持部８０を持って作業することもできる。
【００５５】
次に、仕舞い工程として、図５の破線で表わす下取っ手部７１のように、下取っ手部７１を内側方向に回動させて下ベース板１３の縁１８より内側に配置させる。ここでは、下取っ手部７１を下管部１１に立てかけている。このとき、縁１８と下管部１１との距離が長く、下取っ手部７１が下管部１１に接触しない場合は、下取っ手部７１をそのまま内側に回動させて下ベース板１３の上面１７に載置させる。また、上取っ手部８１は、図９の破線で表わす上取っ手部８１のうち、上管部５１と平行になっている上取っ手部８１のように、自重により垂下させる。
【００５６】
以上、説明したように、本実施形態の仮設工事用サポート１及び仮設工事用サポートの使用方法によれば、下ベース板１３及び上ベース板５２に、下底辺１５及び上底辺５４を備えるため、仮設工事用サポート１を横置きにしたときに安定しておくことができる。また、下底辺１５に滑り止め部１６を備えるため、仮設工事用サポート１を立設させるときに、当該滑り止め部１６を床面に食い込ませた状態にすることができる。これにより、仮設工事用サポート１を立設させるときに、不意に下ベース板１３が滑ってしまうことを防止でき、重量物である仮設工事用サポート１を安全に立設させることができる。また、下ベース板１３が滑らないため、仮設工事用サポート１を立設させるときに、作業者によって仮設工事用サポート１に加えられる力の方向多少がずれていても、仮設工事用サポート１を立設させる方向に効率よく作用する。
【００５７】
また、２本のサポートピン６０ａ，６０ｂが交差しつつ２本とも上から下方向に差し込まれる実施形態では、サポートピン６０ａ，６０ｂが２本とも下方向を向いているため、抜けることがない。これにより、サポートピン６０ａ，６０ｂが抜けてしまって、仮設工事用サポート１の運搬時や立設時に上柱５０が不意に動いてしまうことを防止することができる。
【００５８】
さらに、サポートピン６０ａ，６０ｂに抜け防止突起部６１を備える構成では、サポートピン６０ａ，６０ｂの抜けをより効果的に防止することができ、上柱５０の不意の動きによる事故の防止に効果を発揮する。この抜け防止突起部６１は、作業者が人為的にサポートピン６０ａ，６０ｂを抜くときにはピン側面まで引っ込み同じ高さになる。これにより、サポートピン６０ａ，６０ｂの抜け防止と抜き差しのときの作業性の両立を図ることができる。
【００５９】
ここでサポートピン６０ａ，６０ｂが抜けて、上柱５０が不意に動いてしまうことが大変危険なことであることを説明する。一般的に仮設工事用サポート１はかなりの重量があり、さらに仮設工事用サポート１を用いる作業現場は足下の状態が悪い場合が多い。この様な状況で仮設工事用サポート１を運搬しているとき、上柱５０に対する力のかかり具合でサポートピン６０ａ，６０ｂが抜けてしまうことがあった。そして、サポートピン６０ａ，６０ｂが抜けて上柱５０が動いてしまうと、作業者がバランスを崩して転倒する又は仮設工事用サポート１を落としてしまう恐れがある。また、２人作業で仮設工事用サポート１を運搬していても、下掴持部７０がない場合、下柱１０を持つ人は往々にして下ベース板１３の下抜き穴１４から指を入れて下管部１１の内周に指をかける（図５符号ｆ参照）。このようなときに上柱５０が動くと、上柱５０の下端で指を挟んでしまうことになる。さらに、仮設工事用サポート１を立設させるときも、サポートピン６０ａ，６０ｂが抜けてしまうと、引き出された上柱５０が一気に下降してしまい、指を挟んだりバランスを崩して転倒する危険がある。一方、本実施形態では、仮設工事用サポート１の運搬工程及び立設工程におけるサポートピン６０ａ，６０ｂの抜けを防止して、上柱５０が不意に動いてしまうことがなく、安全性に優れた仮設工事用サポート１とすることができる。
【００６０】
また、下ベース板１３に下掴持部７０を備え、上ベース板５２に上掴持部８０を備える構成では、仮設工事用サポート１の運搬時に、下掴持部７０及び上掴持部８０を持って作業することができる。これにより、運搬を安定して行なうことができる。また、下取っ手部７１及び上取っ手部８１を、下ベース板１３及び上ベース板５２の縁１８，５７との間に空間を設けて、はみ出るようにすることができる。これにより、仮設工事用サポート１の運搬時には作業者が下取っ手部７１及び上取っ手部８１を容易に掴むことができる。
【００６１】
また、下取っ手部７１及び上取っ手部８１を内側方向に回動させるとき、下管部１１及び上管部５１に接触するまで、あるいは上面１７及び下面５６に接触するまで回動させることができる。これにより、仮設工事用サポート１の設置後には、下ベース板１３及び上ベース板５２から下取っ手部７１及び上取っ手部８１がはみ出ることがなく、他の作業の邪魔にならない。また、同様に仮設工事用サポート１を横置きにしたときにも、下取っ手部７１及び上取っ手部８１が邪魔にならない。さらに、仮設工事用サポート１を横置きにしたとき、下取っ手部７１及び上取っ手部８１が、下管部１１及び上管部５１あるいは上面１７及び下面５６に接触する状態まで回動しているため、その上から他の仮設工事用サポート１等を積みかねても、下取っ手部７１及び上取っ手部８１が破損しづらい。
【００６２】
なお、上述した仮設工事用サポート及び仮設工事用サポートの使用方法は、本発明の例示であり発明の趣旨を逸脱しない範囲において、その構成を適宜変更することができる。
【符号の説明】
【００６３】
１・・仮設工事用サポート、
１０・・下柱、１１・・下管部、１２・・下管係止部、１３,１１３・・下ベース板、１４・・下抜き穴、１５，１１５・・下底辺、１６，１１６・・滑り止め部、１７・・上面、１８・・縁、
２０・・調整ナット、２１・・雌ねじ管、２２・・雌ねじ部、２３・・ナット係止部、２４・・凹部、２５・・ハンドル、
３０・・ねじ管、３１・・雄ねじ部、３２・・鍔部、３３ａ，３３ｂ・・第１ピン穴、３４・・鍔上部、
４０・・回り止め部、４１・・ボルト用穴、４２・・固定用ナット、４３・・固定用ボルト、４４・・長穴、
５０・・上柱、５１・・上管部、５２・・上ベース板、５３・・上抜き穴、５４・・上底辺、５５ａ，５５ｂ・・第２ピン穴、５６・・下面、５７・・縁、
６０ａ，６０ｂ・・サポートピン、６１・・抜け防止突起部、６２・・サポートピン穴、６３・・環状部材、
７０・・下掴持部、７１・・下取っ手部、７２・・下取っ手取付部、
８０・・上掴持部、８１・・上取っ手部、８２・・上取っ手取付部、
【要約】
【課題】作業者が安全に運搬することができる仮設工事用サポート及び仮設工事用サポートの使用方法を提供する。
【解決手段】下管部１１、下ベース板１３、及び下管係止部１２を備える下柱１０と、下管係止部に回動可能に係止される調整ナット２０と、第１ピン穴３３ａ，３３ｂ、及び雄ねじ部３１を備え、調整ナットに螺合されるとともにその下部が下管部に挿入されるねじ管３０と、ねじ管が前記下柱に対して回動することを防止する回り止め部４０と、上管部５１、上ベース板５２、及び第２ピン穴５５ａ，５５ｂを備え、その下部がねじ管に挿入される上柱５０と、第１ピン穴及び第２ピン穴を連続して貫通してねじ管と上柱とを固定するサポートピン６０ａ，６０ｂと、下ベース板の側面に設けられる下底辺１５と、上ベース板の側面に設けらる上底辺５４と、下ベース板の上面に設けられる下掴持部７０と、上ベース板の下面に設けられる上掴持部と８０と、を備える。
【選択図】図１【図１】
0006933434.tif 000002
【図２】
0006933434.tif 000003
【図３】
0006933434.tif 000004
【図４】
0006933434.tif 000005
【図５】
0006933434.tif 000006
【図６】
0006933434.tif 000007
【図７】
0006933434.tif 000008
【図８】
0006933434.tif 000009
【図９】
0006933434.tif 000010
【図１０】
0006933434.tif 000011
【図１１】
0006933434.tif 000012
【図１２】
0006933434.tif 000013
【図１３】
0006933434.tif 000014